(57)【要約】   【課題】  外装パネルと外壁本体の隙間に虫等の侵入を確実且つ容易に防止できる外装パネル用役物を提供することを目的とする。  【解決手段】本発明の外装パネル用役物２５は外装パネル２３の下端部２３ａを覆って建築物の外壁本体２２に胴縁２６を介して取付けられる。外装パネル用役物２５は第一垂直材２５ａと第二垂直材２５ｃがそれぞれの下端部を第一水平材２５ｂで連結して成る断面略Ｕ字形状の長尺材で形成され、胴縁２６の下端面２６ａを覆う第二水平材２５ｅの一端部に第三垂直材２５ｄが連結され、この第三垂直材２５ｄは第二垂直材２５ｃに沿ってその上端部が第二垂直材２５ｃの上端部に連結される。第二水平材２５ｅに形成される通気孔４０は第二水平材２５ｅの下面から覆うカバー材４１を備え、このカバー材４１には開口部４２が外壁本体２２に向けて設けられる。通気孔４０とカバー材４１と開口部４２は板金で一体成形される。【選択図】  図１
2008267073.tif 000002
【特許請求の範囲】
【請求項１】
建築物の外壁本体に胴縁を介して取付けられる外装パネルの下端部を覆う外装パネル用役物であって、
前記外装パネル用役物は第一垂直材と第二垂直材がそれぞれの下端部を第一水平材で連結して成る断面略Ｕ字形状の長尺材で形成されるとともに前記胴縁の下端部を覆う第二水平材が前記第二垂直材に連結されて成り、
前記第二水平材に通気孔が形成され、前記第二水平材の下面に前記通気孔を覆って設けられるカバー材が前記外壁本体に向けて開口部を備えることを特徴とする外装パネル用役物。
【請求項２】
請求項１に記載の外装パネル用役物であって、前記通気孔とカバー材は前記第二水平材を板金加工で一体成形されることを特徴とする外装パネル用役物。
【請求項３】
請求項１又は請求項２に記載の外装パネル用役物であって、前記第二水平材の一端部に第三垂直材が連結され、この第三垂直材の上端部が前記第二垂直材の上端部に連結されることを特徴とする外装パネル用役物。
【発明の詳細な説明】
【技術分野】
【０００１】
本発明は、外装パネルを外壁本体に取付ける外装パネル用役物に関し、特に、外装パネルの下端部に形成される通気孔の技術に関する。
【背景技術】
【０００２】
従来、外装パネル用役物として、例えば、特許文献１の記載が知られている。図３に示すように、特許文献１の外装パネル用役物３は外装パネル１の下端部を覆って建築物の外壁土台部８に沿って設けられる。
【０００３】
より詳しくは、外壁土台部８には外壁本体６が設けられ、外装パネル用役物３は外壁本体６の外面に胴縁１４を介して取付けられる。そして、外装パネル用役物３の下方には水切り部材９を備える。
【０００４】
水切り部材９は第一垂直材９ａと斜材９ｂと第二垂直材９ｃから成り、第一垂直材９ａが釘等の固着具１６を用いて胴縁１４に固着される。
【０００５】
そして、外装パネル用役物３は平行する一対の垂直材３ｂ、３ｃが水平材３ａと連結して断面略Ｕ字状に形成されて成り、垂直材３ｃが釘等の固着具１７を用いて胴縁１４に固着される。水平材３ａには切り起こし片７を上方に切り起こすことで水抜き孔４が形成される。
【０００６】
このため、水抜き孔４からの雨水を水切り部材９によって外壁本体６から外側に流すことができる。
【特許文献１】特開２００１−１５２６５５号公報
【発明の開示】
【発明が解決しようとする課題】
【０００７】
ところが、外装パネル１と外壁本体６の隙間に空気を自然通気する場合には、外装パネル用役物３と水切り部材９で挟まれた隙間が横張りされた胴縁１４によって塞がれているので通気できないという問題があった。
【０００８】
この問題を解決するために、図４に示すように、胴縁１４を上方に持上げて胴縁１４と水切り部材９の間に隙間１４ｂを設けるとともに複数の胴縁１４を縦張りして隣接する胴縁１４間に隙間１４ｃを形成し、矢印Ｐで示すように空気を自然通気する構成が考えられた。しかしながら、矢印Ｐに沿って隙間１４ｃに空気とともに虫や小動物が混入するという問題があった。
【０００９】
このため、図５に示すように、外装パネル用役物３と水切り部材９との間に通気孔１０ａを備える略水平蓋１０を通気土台水切り１１を介して取付ける方法が考案されている。しかしながら、通気土台水切り１１が複雑な構造でアルミ形材を用いて形成するため製作コストが高くなるという問題があった。また、通気土台水切り１１に代えて図示しない防虫ネットを用いる方法では外観が悪く施工に手間がかかるという問題があった。
【００１０】
そこで、本発明はかかる従来技術の問題に鑑みなされたものであって、外装パネルと外壁本体の隙間に虫等の侵入を確実且つ容易に防止できる外装パネル用役物を提供することを目的とする。
【課題を解決するための手段】
【００１１】
請求項１の発明は、建築物の外壁本体に胴縁を介して取付けられる外装パネルの下端部を覆う外装パネル用役物であって、前記外装パネル用役物は第一垂直材と第二垂直材がそれぞれの下端部を第一水平材で連結して成る断面略Ｕ字形状の長尺材で形成されるとともに前記胴縁の下端部を覆う第二水平材が前記第二垂直材に連結されて成り、前記第二水平材に通気孔が形成され、前記第二水平材の下面に前記通気孔を覆って設けられるカバー材が前記外壁本体に向けて開口部を備えることを特徴としている。
【００１２】
請求項２の発明は、請求項１に記載の外装パネル用役物であって、前記通気孔とカバー材は前記第二水平材を板金加工で一体成形されることを特徴としている。
【００１３】
請求項３の発明は、請求項１又は請求項２に記載の外装パネル用役物であって、前記第二水平材の一端部に第三垂直材が連結され、この第三垂直材の上端部が前記第二垂直材の上端部に連結されることを特徴としている。
【発明の効果】
【００１４】
請求項１の発明によれば、前記外装パネル用役物は第一垂直材と第二垂直材がそれぞれの下端部を第一水平材で連結するとともに前記胴縁の下端部を覆う第二水平材が前記第二垂直材に連結される。そして、前記第二水平材に通気孔が形成され、前記第二水平材の下面に前記通気孔を覆って設けられるカバー材が前記外壁本体に向けて開口部を備えるので、建築物の外側から開口部が直視できない位置にあるので、虫等が外装パネルと外壁本体の隙間へ侵入することを確実且つ容易に防止することができる。
【００１５】
請求項２の発明によれば、前記通気孔とカバー材は前記第二水平材を板金加工することで一体成形されるので、製作コストを下げることができる。
【００１６】
請求項３の発明によれば、前記第二水平材の一端部に第三垂直材が連結され、この第三垂直材の上端部が前記第二垂直材の上端部に連結するので、前記外装パネル用役物は鋼板による板金加工で一体形成できるので請求項２の発明の効果と同様の効果が得られる。
【発明を実施するための最良の形態】
【００１７】
以下に、本発明の実施形態を図１、図２に基づいて説明する。
【００１８】
＜外装パネル用役物の構成＞
図１、図２に示すように、本発明の外装パネル用役物２５は外装パネル２３の下端部２３ａを覆って建築物の外壁本体２２に胴縁２６を介して取付けられる。
【００１９】
外装パネル用役物２５は第一垂直材２５ａと第二垂直材２５ｃがそれぞれの下端部を第一水平材２５ｂで連結して成る断面略Ｕ字形状の長尺材で形成され、さらに、胴縁２６の下端面２６ａを覆う第二水平材２５ｅの一端部に第三垂直材２５ｄが連結され、この第三垂直材２５ｄは第二垂直材２５ｃに沿ってその上端部が第二垂直材２５ｃの上端部に連結される。第一垂直材２５ａの上端部に折返し部２５ｆと第二水平材２５ｅの先端部に折り重ね部２５ｇが設けられる。
【００２０】
そして、第二水平材２５ｅに通気孔４０が形成される。通気孔４０は第二水平材２５ｅの下面側からカバー材４１で覆われ、このカバー材４１には開口部４２が外壁本体２２に向けて設けられる。
【００２１】
より詳しくは、まず、第二水平材２５ｅに略長方形の通気孔形成領域４０ａを確保し、この通気孔形成領域４０ａにおける外壁本体２２側の長辺Ｌ１を切断する。そして、板金加工によって他の長辺Ｌ２を折り曲げながら長辺Ｌ１を下方に押下げ、同時に短辺Ｌ３と短辺Ｌ４を湾曲させることによって通気孔４０か形成されるとともに湾曲したカバー材４１が形成される。
【００２２】
このとき、長辺Ｌ１を下方に押下げて成る開口下端部Ｌ５と湾曲した短辺Ｌ３と短辺Ｌ４と第二水平材２５ｅ（通気孔形成領域４０ａの長辺Ｌ１に該当する）に囲まれて開口部４２が外壁本体２２に向けて形成される。
【００２３】
このため、外部からの空気は矢印Ｐ１、Ｐ２で示すように、外装パネル２３と外壁本体２２と一対の胴縁２６間に囲まれた隙間に自由に入ることができるとともに出ることもできる。
【００２４】
なお、開口部４２がより確実に外壁本体２２に向けて開口するように、開口部４２を形成する開口下端部Ｌ５はできるだけ長辺Ｌ１の下方垂直線上に位置するのが好ましい。
【００２５】
ここで、第一水平材２５ｂには矩形の一辺を中心に折り曲げて成る水抜き孔４５が複数形成され、各水抜き孔４５は折り曲げられる辺を交互に変えて形成される。そして、水抜き孔４５からの雨水を水切り部材２１によって外壁本体２２から外側に排出することができる。
【００２６】
水切り部材２１は第一垂直材３１とこの第一垂直材３１に平行な第二垂直材３２が第一垂直材３１の下端部から下方傾斜する斜材３３で第二垂直材３２の上端部と連結して成る垂直断面略Ｚ字形状の帯状で形成される。第一垂直材３１の上端部は折り重ね部３１ａを設け、第二垂直材３２の下端部は折返し部３２ａが設けられる。
【００２７】
外装パネル用役物２５の第二垂直材２５ｃと第三垂直材２５ｄは外装下地材としての胴縁２６を介して水切り部材２１の第一垂直材３１と共に外壁本体２２に釘等の固着具２９によって固着される。このとき、胴縁２６と第一垂直材３１との間に防水テープ２７と透湿防水シート２８が挿入される。
【００２８】
外装パネル２３は断熱性、遮音性等を目的として、内部の断熱材を両側から薄肉の金属板で被覆してなる金属サイディングが用いられる。複数の外装パネル２３は外壁本体２の左右方向に縦張りによって一定間隔で組付けられる。
【００２９】
外装パネル用役物２５は板厚０．３５ｍｍの薄厚鋼板を板金によって絞り加工して一体形成されるが、両表面にアルミ・亜鉛合金メッキを施し、さらに表面側となる面にフッ素樹脂塗装、裏面側にポリエステル樹脂塗装が施される。
【００３０】
＜外装パネル用役物の作用＞
上記、第二水平材２５ｅの略長方形の通気孔形成領域４０ａを下方に湾曲させて板金加工することで通気孔４０が形成されるとともに、長辺Ｌ１を下方に押下げて成る開口下端部Ｌ５と湾曲した短辺Ｌ３と短辺Ｌ４と第二水平材２５ｅ（通気孔形成領域４０ａの長辺Ｌ１に該当する）との間に外壁本体２２に向けて開口部４２が一体成形される。
【００３１】
このように、カバー材４１を板金するだけの簡単な構造で通気孔４０と開口部４２が一体形成されるので施工性が向上して低コストで製作できる。カバー材４１は第二水平材２５ｅと同じ材料なので表面が同質且つ同色なので、開口部４２そのものが目立たないため虫等が開口部４２に侵入するのを防止することができる。
【００３２】
そして、開口部４２が外部から直視できず目立たない位置に設けられるので、開口部４２を経由して外装パネル２３と外壁本体２２と胴縁２６に囲まれた隙間に虫等が侵入するのを防止することができる。
【００３３】
以上、本発明の実施例を図面に基づいて説明したが、具体的な構成はこの実施例に限られるものではなく本発明の要旨を逸脱しない範囲の設計変更等があっても本発明に含まれる。
【００３４】
たとえば、通気孔４０に第二水平材２５ｅの下面から別途用意されたカバー材で覆って、このカバー材に外壁本体に向けて開口部を設ける構造でも構わない。
【００３５】
通気孔４０と開口部４２は一対の胴縁２６間に複数組設けてもよい。
【図面の簡単な説明】
【００３６】
【図１】本発明の実施形態における、建築物の外壁本体２２に設けられる外装パネル用役物２５の状態を示す断面図である。
【図２】本発明の実施形態における、図１のＡ−Ａ断面矢視図である。
【図３】従来の、建築物の外壁本体に設けられる外装パネル用役物３の状態を示す断面図である。
【図４】従来の、他の、建築物の外壁本体に設けられる外装パネル用役物の状態を示す断面図である。
【図５】従来の、さらに他の、建築物の外壁本体に設けられる外装パネル用役物の状態を示す断面図である。
【符号の説明】
【００３７】
２２  外壁本体
２３  外装パネル
２３ａ  下端部
２５  外装パネル用役物
２５ａ  第一垂直材
２５ｂ  第一水平材
２５ｃ  第二垂直材
２５ｄ  第三垂直材
２５ｅ  第二水平材
２６  胴縁
２６ａ  下端面
４０  通気孔
４１  カバー材
４２  開口部
【図１】
2008267073.tif 000003
【図２】
2008267073.tif 000004
【図３】
2008267073.tif 000005
【図４】
2008267073.tif 000006
【図５】
2008267073.tif 000007